(57)【要約】【課題】通信速度を動的に割り当てられる無線通信システムであっても、画像の解像度を無線通信システムに適した解像度に変更する通信装置を提供すること。【解決手段】動画像を撮影するカメラと、前記動画像を送信する送信部と、前記送信部が通信を行う基地局との通信速度を判定する判定部と、前記判定部が判定した通信速度に基づいて、前記送信部による送信時の前記動画像の解像度を選択する選択部と、を備えることを特徴とする通信装置である。【選択図】図３
2015041860.tif 000002
【特許請求の範囲】
【請求項１】
動画像を撮影するカメラと、
前記動画像を送信する送信部と、
前記送信部が通信を行う基地局との通信速度を判定する判定部と、
前記判定部が判定した通信速度に基づいて、前記送信部による送信時の前記動画像の解像度を選択する選択部と、
を備えることを特徴とする通信装置。
【請求項２】
前記選択部によって選択された解像度を取得し、前記取得した解像度に基づいて、前記動画像の解像度を設定するための設定画面を生成する生成部、
を備えることを特徴とする請求項１に記載の通信装置。
【請求項３】
前記判定部は、前記通信を行う基地局が変更された場合、前記変更された基地局との通信速度を判定し、
前記選択部は、前記変更された基地局との通信速度に基づいて、前記動画像の解像度を選択し直す、
ことを特徴とする請求項１又は２に記載の通信装置。
【請求項４】
動画像を撮影し、
前記動画像を送信し、
前記動画像を送信するときの基地局との通信速度を判定し、
前記判定された通信速度に基づいて、前記動画像の解像度を選択
することを特徴とする通信方法。
【請求項５】
コンピュータに、
動画像を撮影させ、
前記動画像を送信させ、
前記送信させるときの通信を行う基地局との通信速度を判定させ、
前記判定した通信速度に基づいて、前記動画像の解像度を選択させる、
通信プログラム。
【発明の詳細な説明】
【技術分野】
【０００１】
この発明は、通信装置、通信方法、及び通信プログラムに関する。
【背景技術】
【０００２】
近年普及しているデジタルカメラは、デジタル撮像手段によって撮像した画像をデジタル画像として、半導体メモリ等の記憶部に記憶させるものである。このようなデジタルカメラは、年々、撮像部の高画素化が進み、高解像度の画像が撮影可能である。
【０００３】
その一方で、自動車による交通事故が起きた場合に、関係者がより迅速に証拠を提示できるようにするため、ドライブレコーダーが普及し始めている。ドライブレコーダーは、車両の外を継続して撮影し、それを記録するものである。
前述したデジタルカメラの普及によって、ドライブレコーダーは、高解像度化が進み、より高解像度の画像を記録するように進化している。また、近年のクラウド技術によって、撮影した画像を、移動体通信網などの無線通信を介してインターネット上のクラウドサーバに記録することで、ドライブレコーダー本体に記憶させなくてもよい状況が実現しつつある。しかし、高解像度の画像は、一般的にデータ量が大きくなるため、移動体通信網などの無線通信網に大きな負荷を掛けるだけではなく、送信に失敗することで、記録しなければならない画像の欠損を生じる可能性がある。
【０００４】
これに関連し、特許文献１の通信機能付きカメラは、撮影した画像を、移動体通信網などの無線通信における通信時間に基づいて、インターネット上のクラウドサーバに記録する画像の解像度を変更する。
【先行技術文献】
【特許文献】
【０００５】
【特許文献１】特開２００４−３４３３２８号公報
【発明の概要】
【発明が解決しようとする課題】
【０００６】
しかしながら、特許文献１に記載の通信機能付きカメラでは、通信速度を動的に割り当てられる無線通信システムである場合、画像の解像度を無線通信システムに適した解像度に変更できないことがあるという問題がある。例えば、通信時間の測定に小さいデータ量で通信時間の測定を行うと、割り当てられる通信の速度が小さいために、通信時間が大きくなり、低い解像度に変更してしまうことがある。
【０００７】
そこで本発明は、上記従来技術の問題に鑑みてなされたものであり、通信速度を動的に割り当てられる無線通信システムであっても、画像の解像度を無線通信システムに適した解像度に変更する通信装置、通信方法、及び通信プログラムを提供する。
【課題を解決するための手段】
【０００８】
本発明の一態様は、動画像を撮影するカメラと、前記動画像を送信する送信部と、前記送信部が通信を行う基地局との通信速度を判定する判定部と、前記判定部が判定した通信速度に基づいて、前記送信部による送信時の前記動画像の解像度を選択する選択部と、を備えることを特徴とする通信装置である。
【発明の効果】
【０００９】
そこで本発明は、通信速度を動的に割り当てられる無線通信システムであっても、画像の解像度を無線通信システムに適した解像度に変更する通信装置、通信方法、及び通信プログラムを提供することができる。
【図面の簡単な説明】
【００１０】
【図１】第１の実施形態におけるカメラ付通信装置１の利用状況の一例を示す図である。
【図２】カメラ付通信装置１のハードウェア構成の一例を示す概略ブロック図である。
【図３】カメラ付通信装置１の機能構成の一例を示す概略ブロック図である。
【図４】表示部３０に表示される選択画面及び通知画像を示す図の例である。
【図５】カメラ付通信装置１が基地局２に位置登録するまでの動作の流れの一例を説明するシーケンス図である。
【図６】カメラ付通信装置１の制御部７０の各機能部の動作の一例を説明するフローチャートである。
【図７】ＣＡが動作する前後における通信速度の変化と、ＣＡが動作した場合に接続している基地局２の違いによる通信速度の変化を説明するための図である。
【図８】２つのＣＣそれぞれに割り当て可能な帯域幅と、それらの組み合わせによって可能な通信速度の対応表の一例である。
【図９】カメラ付通信装置１が移動中にハンドオーバーを繰り返す状況の一例を説明する図である。
【発明を実施するための形態】
【００１１】
＜第１の実施形態＞
以下、本発明の実施形態について、図面を参照して詳細に説明する。
図１は、第１の実施形態におけるカメラ付通信装置１の利用状況の一例を示す図である。第１の実施形態におけるカメラ付通信装置１は、ドライブレコーダーであり、これを実現するのに好適なものは、例えば、多機能携帯電話端末（スマートフォン）や、移動体通信網との通信機能付きのタブレット端末、カメラ付の携帯電話端末などである。図１で示したように、カメラ付通信装置１は、自動車Ｃａｒのフロントガラスの内側から車外を撮影できるように設置される。従って、カメラ付通信装置１は、撮影開始と同時に、自動車Ｃａｒの運転手から見える自動車の前方の景色を、ユーザである運転手が撮影を終了させるまで撮影し続ける。
【００１２】
カメラ付通信装置１は、移動体通信網の基地局２と無線通信を行う。そして、カメラ付通信装置１は、移動体通信網を介して、自装置が撮影した画像をインターネット上のクラウドサーバに記録する。カメラ付通信装置１が備える通信方式は、例えば、第三世代移動体通信網（３Ｇ）や、ＬＴＥ（Long  Term  Evolution）、ＬＴＥ  ＣＡ（Carrier  Aggregation）、ＨＳＵＰＡ（High  Speed  Uplink  Packet  Access）などである。カメラ付通信装置１は、自装置が在圏している基地局２が提供する通信方式や、通信方式ごとの電波状況などに応じて、自装置が基地局２と通信を行うための通信方式を選択する。
【００１３】
カメラ付通信装置１は、車外を撮影する際、基地局２との通信方式や通信速度に応じて、撮影時の解像度（以下、撮影解像度と称する）を変更する。これによって、カメラ付通信装置１が撮影した画像をインターネット上のクラウドサーバに記録する際、カメラ付通信装置１は、移動体通信網に対してより大きな負荷が掛けずに済む。
【００１４】
基地局２は、例えば、移動体通信網であり、第三世代移動体通信網（３Ｇ）や、ＬＴＥ（Long  Term  Evolution）、ＬＴＥ  ＣＡ（Carrier  Aggregation）、ＨＳＵＰＡ（High  Speed  Uplink  Packet  Access）などの通信方式で、移動体通信網と通信可能な端末とのパケット通信を中継する。なお、基地局２は、移動体通信網の基地局に限られず、例えば、無線ＬＡＮ（Local  Area  Network）の基地局であってもよい。
【００１５】
図２は、カメラ付通信装置１のハードウェア構成の一例を示す概略ブロック図である。カメラ付通信装置１は、例えば、ＣＰＵ１０と、記憶部２０と、表示部３０と、入力部４０と、通信部５０と、撮影部６０とを備える。ＣＰＵ１０は、記憶部２０に格納された各種プログラムを実行する。記憶部２０は、ＨＤＤ（Hard  Disk  Drive）やＳＳＤ（Solid  State  Drive）、ＥＥＰＲＯＭ（Electrically  Erasable  Programmable  Read-Only  Memory）、ＲＯＭ（Read-Only  Memory）、ＲＡＭ（Random  Access  Memory）などを含み、カメラ付通信装置１が処理する情報やプログラムを格納する。
【００１６】
表示部３０は、液晶ディスプレイ装置や有機ＥＬ（Electroluminescence）表示装置などである。入力部４０は、キーボードやマウス、タッチパッド、その他の入力装置である。なお、表示部３０がタッチパネルとして構成され、入力装置として機能してもよい。通信部５０は、アンテナや変調部、符号化／復調部、アップ／ダウンコンバータなどを備え、移動体通信網の基地局２との間で無線通信を行う。撮影部６０は、カメラ付通信装置１が備えるカメラであり、例えば、集光された光を電気信号に変換する撮像素子であるＣＣＤ（Charge  Coupled  Device）素子やＣＭＯＳ（Complementary  Metal  Oxide  Semiconductor）撮像素子等を備えたカメラである。カメラ付通信装置１は、静止画像や動画像を撮影する。以下では、説明を簡略化するため、撮影された画像は静止画像であるとする。また、カメラ付通信装置１は、ＣＰＵ１０によって実行されたプログラムからの命令により、撮影解像度を変更する。
【００１７】
図３は、カメラ付通信装置１の機能構成の一例を示す概略ブロック図である。カメラ付通信装置１は、例えば、表示部３０と、入力部４０と、通信部５０と、撮影部６０と、制御部７０とを備える。通信部５０は、例えば、通信制御部５１と、ＬＴＥ送信部５２と、３Ｇ送信部５４と、ＬＴＥ受信部５６と、３Ｇ受信部５８とを備える。通信制御部５１は、撮影部６０で撮影された画像を、各種通信方式によって基地局２へ送信するように、複数のＬＴＥ送信部５２、３Ｇ送信部５４を制御する。また、通信制御部５１は、基地局２からブロードキャストされている報知情報を、複数のＬＴＥ受信部５６、３Ｇ受信部５８によって受信させる。通信制御部５１は、受信した報知情報を、制御部７０に出力する。
【００１８】
複数のＬＴＥ送信部５２は、ＬＴＥやＬＴＥ  ＣＡによって、上りの無線通信を行う際に利用するアンテナである。
３Ｇ送信部５４は、３Ｇによって、上りの無線通信を行う際に利用するアンテナである。
複数のＬＴＥ受信部５６は、ＬＴＥやＬＴＥ  ＣＡによって、下りの無線通信を行う際に利用するアンテナである。
３Ｇ受信部５８は、３Ｇによって、下りの無線通信を行う際に利用するアンテナである。
【００１９】
制御部７０は、例えば、通信速度判定部７２と、解像度選択部７４と、画像生成部７６と、解像度設定部７８とを備える。通信速度判定部７２は、カメラ付通信装置１と基地局２との通信における通信速度を判定する。通信速度判定部７２は、例えば、以下のような動作を行う。通信速度判定部７２は、通信制御部５１を介して、基地局２から報知情報を取得する。報知情報は、基地局２が、移動体通信網を利用して通信可能な端末に対してブロードキャストしている情報であって、例えば、基地局２の情報や、基地局２で利用可能な通信方式を示す情報、ＣＡを構成するＣＣ（Component  Carrier）に割り当てられた帯域幅を示す情報などを含む。基地局２で利用可能な通信方式を示す情報は、例えば、３ＧやＨＳＵＰＡ、ＬＴＥ、ＬＴＥ  ＣＡなどを示す情報である。そして、通信速度判定部７２は、取得した報知情報に基づいて、基地局２と通信における通信速度を判定する。以下の説明では、この判定処理を通信速度判定処理と称する。通信速度判定処理についての詳細は後述する。通信速度判定部７２は、通信速度判定処理によって判定された通信速度を示す情報を、解像度選択部７４に出力する。また、通信速度判定部７２は、ハンドオーバーが成功したことを示す情報を、通信制御部５１から取得する。そして、通信速度判定部７２は、ハンドオーバーが成功したことを示す情報を取得すると、解像度選択部７４に、後述する好適な撮影解像度を示す情報を、解像度設定部７８に出力するように制御する。ハンドオーバーとは、移動体通信網と通信可能な端末がパケット通信中に、在圏中のセルから別のセルに移動する場合、パケット通信を維持しつつ、移動先のセルに再接続する動作である。
【００２０】
解像度選択部７４は、カメラ付通信装置１が撮影した画像を基地局２に送信する際、移動体通信網に対してより大きな負荷を掛けることのない好適な撮影解像度を選択する。解像度選択部７４は、例えば、以下のような動作を行う。解像度選択部７４は、通信速度判定部７２から、現在の通信速度を示す情報を取得し、取得した通信速度を示す情報に基づいて、好適な撮影解像度を選択する。以下の説明では、この選択に関する処理を、解像度選択処理と称する。解像度選択処理についての詳細は後述する。解像度選択部７４は、選択した好適な撮影解像度を示す情報を、画像生成部７６に出力する。また、解像度選択部７４は、通信速度判定部７２からハンドオーバーが成功したことを示す情報を取得すると、選択した好適な撮影解像度を示す情報を、解像度設定部７８に出力する。
【００２１】
画像生成部７６は、各種表示画像を生成し、生成した表示画像を表示部３０に表示させる。画像生成部７６は、例えば、以下のような動作を行う。画像生成部７６は、解像度選択部７４から、好適な撮影解像度を示す情報を取得し、取得した好適な撮影解像度を示す情報に基づいて、撮影開始時にユーザが撮影解像度を選択するための選択画面を生成する。そして、画像生成部７６は、生成した選択画面を、表示部３０に表示させる。
【００２２】
より具体的には、画像生成部７６は、解像度選択部７４から取得した好適な撮影解像度よりも高い解像度を示す選択肢を、グレーアウトさせて選択出来ないようにした撮影解像度の選択画面を生成し、生成した選択画面を、表示部３０に表示させる。
【００２３】
なお、画像生成部７６は、後述する解像度設定部７８から、現在ユーザによって選択されている撮影解像度を取得し、取得した撮影解像度を、表示部３０に表示させてもよい。また、画像生成部７６は、ユーザが撮影解像度を選択して撮影が開始された後、撮影が終了するまでの間、選択画面を表示してもよいし、表示しなくてもよい。
【００２４】
解像度設定部７８は、撮影部６０の撮影解像度を設定する。解像度設定部７８は、例えば、以下のような動作を行う。まず、解像度設定部７８は、カメラ付通信装置１が撮影を開始する前の状態では、入力部４０が受け付けたユーザが選択した撮影解像度を示す情報を取得し、取得したユーザが選択した撮影解像度を示す情報に基づいて、撮影部６０の撮影解像度を設定する。
【００２５】
一方、解像度設定部７８は、カメラ付通信装置１が撮影している状態では、解像度選択部７４から、好適な撮影解像度を示す情報を取得し、取得した好適な撮影解像度と、現在撮影部６０に設定している撮影解像度とを比較する。そして、解像度設定部７８は、比較の結果、好適な撮影解像度が、現在の撮影解像度よりも高い場合、撮影部６０の撮影解像度を、好適な撮影解像度に設定し直す。また、解像度設定部７８は、好適な撮影解像度が、現在の撮影解像度よりも低い場合、撮影部６０の撮影解像度を、好適な撮影解像度に設定し直す。また、好適な撮影解像度が、現在の撮影解像度と同じだった場合、撮影部６０の撮影解像度を保持する。なお、解像度設定部７８は、カメラ付通信装置１の起動時には、デフォルトで設定されている撮影解像度を、撮影部６０に設定する。デフォルトで設定されている撮影解像度は、予めカメラ付通信装置１に登録されていてもよいし、ユーザが後から設定できてもよい。
【００２６】
ここから、図４を参照して、表示部３０に表示される表示画像について説明する。図４（ａ）〜（ｃ）は、表示部３０に表示される選択画面及び通知画像を示す図の例である。図４（ａ）は、上述した選択画面ｉｍｇ１が表示されている図の一例である。図４（ｂ）は、選択画面ｉｍｇ１から、選択不可能な解像度が画像ｉｍｇ２によってグレーアウトされた図の一例である。図４（ｃ）は、選択画面ｉｍｇ１の上に、上述した通知画像ｉｍｇ３が表示された図の一例である。
【００２７】
ここから、図５を参照して、カメラ付通信装置１と基地局２との関係を説明する。図５は、カメラ付通信装置１が基地局２に位置登録するまでの動作の流れの一例を説明するシーケンス図である。まず、カメラ付通信装置１が、ユーザによって起動される（ステップＳ１００）。基地局２は、基地局２が稼働している間、基地局２の電波を受信できるエリア（セル）に対して、報知情報をブロードキャストする（ステップＳ１１０）。次に、カメラ付通信装置１は、自装置が基地局２のセルに在圏していることを示す位置情報を、基地局２に送信する（ステップＳ１２０）。このようにして、カメラ付通信装置１は、基地局２から報知情報を取得し、取得した報知情報に基づいて、好適な撮影解像度を選択することができる。
【００２８】
ここから、図６を参照して、カメラ付通信装置１の制御部７０の動作についての詳細を説明する。図６は、カメラ付通信装置１の制御部７０の各機能部の動作の一例を説明するフローチャートである。まず、解像度設定部７８は、ユーザによってカメラ付通信装置１が起動されると、撮影部６０の撮影解像度をデフォルトの撮影解像度（初期値）に設定する（ステップＳ２００）。次に、通信速度判定部７２は、基地局２から報知情報を取得する（ステップＳ２１０）。次に、通信速度判定部７２は、取得した報知情報に基づいて、通信速度を判定し、判定した通信速度を示す情報を解像度選択部７４に出力する（ステップＳ２２０）。
【００２９】
ここで、通信速度の判定について、より詳細に説明する。通信速度判定部７２は、ハンドオーバーなどによって通信速度が変化することがない通信方式、例えば、３ＧやＬＴＥなどに対して、各種通信方式の最大通信速度を対応付けて登録しておく。そして、通信速度判定部７２は、基地局２から取得した報知情報に基づいて、カメラ付通信装置１が基地局２との間で利用する通信方式に基づいて、通信方式に対応した通信速度を判定する。また、通信速度判定部７２は、ハンドオーバーなどによって通信速度が変化することがある通信方式、例えば、ＨＳＵＰＡやＬＴＥ  ＣＡなどに対して、基地局２から取得した報知情報に基づいて、通信速度を算出する。この通信速度の算出についての詳細は後述する。
【００３０】
次に、解像度選択部７４は、通信速度判定部７２から通信速度を示す情報を取得し、取得した通信速度を示す情報から、好適な撮影解像度を選択し、選択した好適な撮影解像度を示す情報を、画像生成部７６、解像度設定部７８に出力する（ステップＳ２３０）。ここで、好適な撮影解像度の選択について、より詳細に説明する。解像度選択部７４には、例えば、撮影解像度を「高」「中」「低」の３段階に分け、それぞれの撮影解像度に対応する通信速度の範囲が対応付けられて登録されている。それぞれの撮影解像度と通信速度の範囲との組み合わせは、例えば、撮影解像度「高」に対して、通信速度の範囲を２０Ｍｂｐｓ以上とし、撮影解像度「中」に対して、通信速度の範囲を１０Ｍｂｐｓ以上、２０Ｍｂｐｓ未満とし、撮影解像度「低」に対して、通信速度の範囲を１０Ｍｂｐｓ未満とする。なお、撮影解像度は、３段階に分けられる必要はなく、２段階以上のうちの任意の段階に分けられていてもよい。
【００３１】
また、撮影解像度と通信速度の範囲との組み合わせも、任意の撮影解像度と、任意の通信速度の範囲を組み合わせてもよい。また、撮影解像度と組み合わせるものは、通信速度に限られず、例えば、通信方式を示す情報を組み合わせてもよい。これらの組み合わせは、予め解像度選択部７４に登録されていてもよいし、ユーザが後から設定できるとしてもよい。解像度選択部７４は、これらの登録された組み合わせを参照し、取得した通信速度を示す情報に対応付けられる撮影解像度を、好適な撮影解像度として選択する。
【００３２】
次に、画像生成部７６は、解像度選択部７４から取得した好適な撮影解像度より高い解像度を示す選択肢をグレーアウトした、撮影解像度の選択画面（図４（ｂ）参照）を生成する（ステップＳ２４０）。次に、画像生成部７６は、ステップＳ２４０で生成した選択画面を、表示部３０に表示させる（ステップＳ２５０）。次に、解像度設定部７８は、入力部４０からユーザによって選択された撮影解像度を、撮影部６０に設定し、撮影を開始する（ステップＳ２６０）。
【００３３】
次に、通信速度判定部７２は、ステップＳ２６０の後に撮影が開始されると、撮影中、これからハンドオーバーする予定の基地局から報知情報を取得したか否かを判定（通信方式がＣＡの場合、ＣＣに割り当てられた帯域幅が変更されたか否かを判定）する（ステップＳ２７０）。報知情報を取得した場合（ステップＳ２７０−Ｙｅｓ）、通信速度判定部７２は、ステップＳ２８０に遷移する。報知情報を取得していない場合（ステップＳ２７０−Ｎｏ）、通信速度判定部７２は、ステップＳ３４０に遷移する。ステップＳ２７０で報知情報を取得した場合、通信速度判定部７２は、取得した報知情報に基づいて、通信速度を判定する（ステップＳ２８０）。
【００３４】
解像度選択部７４は、取得した通信速度を示す情報から、好適な撮影解像度を選択し、選択した好適な撮影解像度を示す情報を、解像度設定部７８に出力する（ステップＳ２９０）。次に、通信速度判定部７２は、ハンドオーバー先の基地局から、ハンドオーバーが成功したことを示す情報を取得したか否かを判定する（ステップＳ３００）。ハンドオーバーが成功したことを示す情報を取得した場合（ステップＳ３００−Ｙｅｓ）、通信速度判定部７２は、ステップＳ３１０に遷移する。ハンドオーバーが成功したことを示す情報を取得しなかった場合（ステップＳ３００−Ｎｏ）、通信速度判定部７２は、ステップＳ２７０に遷移する。
【００３５】
ステップＳ３００でハンドオーバーが成功したことを示す情報を取得した場合、通信速度判定部７２は、解像度選択部７４が選択した好適な解像度を示す情報を、解像度設定部７８に出力させるように、解像度選択部７４を制御する。そして、解像度設定部７８は、取得した好適な解像度を示す情報が、現在の撮影解像度よりも低いか否かを判定する（ステップＳ３１０）。現在の撮影解像度が好適な撮影解像度よりも低かった場合（ステップＳ３１０−Ｙｅｓ）、解像度設定部７８は、ステップＳ３３０に遷移する。現在の撮影解像度が好適撮影解像度よりも低くなかった場合（ステップＳ３１０−Ｎｏ）、解像度設定部７８は、ステップＳ３２０に遷移する。
【００３６】
ステップＳ３１０で設定されている撮影解像度が好適な撮影解像度よりも低くなかった場合、解像度設定部７８は現在撮影部６０の現在の撮影解像度が、取得した好適な撮影解像度よりも高いか否かを判定する（ステップＳ３２０）。現在の撮影解像度が好適撮影解像度よりも高かった場合（ステップＳ３２０−Ｙｅｓ）、解像度設定部７８は、ステップＳ３３０に遷移する。現在の撮影解像度が好適な撮影解像度よりも高くなかった場合（ステップＳ３２０−Ｎｏ）、解像度設定部７８は、ステップＳ３４０に遷移する。
【００３７】
ステップＳ３１０（ステップＳ３２０）で現在の撮影解像度が好適な撮影解像度よりも低かった（高かった）場合、解像度設定部７８は現在撮影部６０の現在の撮影解像度を、好適な撮影解像度に設定し直す（ステップＳ３３０）。次に、解像度設定部７８は、入力部４０からユーザによって撮影終了の指示が入力されたか否かを判定する（ステップＳ３４０）。指示が入力されていた場合（ステップＳ３４０−Ｙｅｓ）、制御部７０は処理を終了する。指示が入力されていなかった場合（ステップＳ３４０−Ｎｏ）、通信速度判定部７２はステップＳ２７０に遷移する。以上で、制御部７０の各機能部の動作を終了する。
【００３８】
ここから、図７を参照して、図６のステップＳ２８０で通信速度判定部７２が行う、カメラ付通信装置１が移動することによるハンドオーバーなどで、通信速度が変わる場合の通信速度の算出についての詳細を説明する。以下の説明では、通信速度が変わる場合の一例として、通信方式がＬＴＥ  ＣＡ（以下、ＣＡと称する）の場合を説明する。図７は、ＣＡが動作する前後における通信速度の変化と、ＣＡが動作した場合に接続している基地局２の違いによる通信速度の変化を説明するための図である。ＣＡとは、端末装置（ＵＥ：User Equipment）と基地局２（ＢＳ：Base  Station、又はｅＮＢ：evolved  Node  B）との間の通信チャネルを、例えばＬＴＥにおいてサポートされる周波数帯を複数統合することにより形成し、通信のスループットを向上させる技術である。ＣＡにより形成される１つの通信チャネルに含まれる個々の周波数帯を、コンポーネントキャリア（ＣＣ：Component Carrier）という。ＬＴＥにおいて使用可能な周波数帯の帯域幅は１．４ＭＨｚ、３．０ＭＨｚ、５．０ＭＨｚ、１０ＭＨｚ、１５ＭＨｚ又は２０ＭＨｚである。
【００３９】
ＣＡは、カメラ付通信装置１と基地局２との間で流れる通信量が所定の閾値を超えるか否かをトリガとして動作を開始する。従って、通信量が所定の閾値以下の場合、カメラ付通信装置１は１つの通信チャネル、すなわち１つのＣＣによってのみ通信を行う。図７に示したＣＡが動作する前の例ｅｘ１は、カメラ付通信装置１が第１のＣＣによって、基地局２と通信を行っていることを表している。例ｅｘ１では、基地局２の、第１のＣＣが利用可能な周波数帯域の帯域幅が５［ＭＨｚ］である。この場合、カメラ付通信装置１は、帯域幅５［ＭＨｚ］に対応した通信速度で、基地局２と通信を行う。
【００４０】
一方で、図７に示したＣＡが動作する前の例ｅｘ２は、例ｅｘ１と同様に、カメラ付通信装置１が第１のＣＣによって、基地局２と通信を行っていることを表している。しかし、例ｅｘ２では、基地局２の、第１のＣＣが利用可能な周波数帯域の帯域幅が２０［ＭＨｚ］である。従って、例ｅｘ２では、カメラ付通信装置１は、帯域幅２０［ＭＨｚ］に対応した通信速度で、基地局２と通信を行う。
【００４１】
例ｅｘ１と例ｅｘ２の場合、どちらもＣＡが動作していないため、ＣＡが利用可能な基地局２のセル内をカメラ付通信装置１が移動していたとしても、カメラ付通信装置１の移動による通信速度の変化は生じない。それに対して、複数の基地局２でＣＡが動作した後の例ｅｘ３及び例ｅｘ４は、２つのＣＣによって通信を行うカメラ付通信装置１と基地局２を表している。
【００４２】
例ｅｘ３は、第１のＣＣが帯域幅５［ＭＨｚ］で通信を行い、第２のＣＣも帯域幅５［ＭＨｚ］で通信を行うので、カメラ付通信装置１は、これらを合わせた帯域幅である１０［ＭＨｚ］で通信を行う。従って、例ｅｘ３では、カメラ付通信装置１は、基地局２と帯域幅１０［ＭＨｚ］に対応した通信速度で通信を行う。例ｅｘ４も同様であり、第１のＣＣが帯域幅２０［ＭＨｚ］で通信を行い、第２のＣＣが帯域幅１５［ＭＨｚ］で通信を行うので、カメラ付通信装置１は、これらを合わせた帯域幅である２５［ＭＨｚ］で通信を行う。従って、例ｅｘ４では、カメラ付通信装置１は、基地局２と帯域幅２５［ＭＨｚ］に対応した通信速度で通信を行う。このようにして、ＣＡが動作中の場合、通信速度判定部７２は、各ＣＣに割り当てられた帯域幅を合計し、合計した帯域幅に基づいて、カメラ付通信装置１と基地局２の通信における通信速度を算出する。
【００４３】
なお、通信速度判定部７２は、帯域幅の合計から通信速度を算出せず、図８に示すような対応表に基づいて、各ＣＣに割り当てられた帯域幅から通信速度を選択するとしてもよい。図８は、２つのＣＣそれぞれに割り当て可能な帯域幅と、それらの組み合わせによって可能な通信速度の対応表の一例である。
【００４４】
このようにして、第１の実施形態におけるカメラ付通信装置１は、基地局２との通信における通信速度を判定し、判定した通信速度に基づいて、撮影部６０の撮影解像度を、通信速度に対して好適な撮影解像度に変更する。従って、カメラ付通信装置１は、ハンドオーバーなどによって通信速度を動的に割り当てられる基地局２との通信であっても、画像の解像度をその基地局２との通信に適した解像度に変更することができる。また、カメラ付通信装置１は、撮影中にハンドオーバーなどで通信速度が遅い通信方式しか利用できない基地局２に接続した場合であっても、その都度、その通信方式における通信速度に対応する好適な撮影解像度を、撮影部６０に設定するため、画像のデータ量の大きさと通信速度の遅さに起因する記録画像データの欠損を防ぐことができる。
【００４５】
図９は、カメラ付通信装置１が移動中にハンドオーバーを繰り返す状況の一例を説明する図である。カメラ付通信装置１は、自動車に搭載させて移動しながら撮影を行うため、徒歩による移動に比べて頻繁にハンドオーバーが生じる。矢印ｌｉｎｅは、カメラ付通信装置１を搭載した自動車の軌跡である。カメラ付通信装置１は、まず、通信方式としてＬＴＥが利用可能な基地局ＬＴＥ１と帯域幅１０［ＭＨｚ］の通信を行う。その後、カメラ付通信装置１は、３Ｇが利用可能な基地局３Ｇ１にハンドオーバーを行う。ここで、カメラ付通信装置１は、通信方式がＬＴＥから３Ｇに変わることで、通信速度が下がるため、それに応じて撮影部６０の撮影解像度を変更する。
【００４６】
そして、カメラ付通信装置１は、基地局３Ｇ１から、ＬＴＥ  ＣＡが利用可能な基地局ＬＴＥ−ＣＡ１及び基地局ＬＴＥ−ＣＡ２と接続することでＣＡによる通信を行う。ここで、カメラ付通信装置１は、３ＧからＬＴＥ  ＣＡにハンドオーバーすることで、通信速度が上がるため、それに応じて撮影部６０の撮影解像度を変更する。最後に、カメラ付通信装置１は、基地局ＬＴＥ−ＣＡ１及び基地局ＬＴＥ−ＣＡ２から、再びＬＴＥが利用可能な基地局ＬＴＥ２にハンドオーバーすることで、通信速度が下がる。カメラ付通信装置１は、撮影部６０の撮影解像度を、通信速度に応じて変更する。このようにして、カメラ付通信装置１は、ハンドオーバーを繰り返すことで、通信速度が頻繁に変化したとしても、その変化に応じて撮影部６０の撮影解像度を変更することができる。
【００４７】
なお、カメラ付通信装置１は、ハンドオーバーによって通信速度が変わった場合に撮影部６０の撮影解像度を変更するのに代えて、リセレクション（Reselection）によって通信速度が変わった場合や、リダイレクション（Redirection）によって通信速度が変わった場合、リエスタブリッシュメント（Re-establishment）によって通信速度が変わった場合などに撮影部６０の撮影解像度を変更してもよい。
【００４８】
リセレクションとは、移動体通信網を利用して通信可能な端末が、ある基地局のセルに在圏している状態で、その基地局を含む当該端末が電波を受信可能な基地局のセルのうち、下り受信信号品質の優れたセルに在圏し直す動作のことである。
リダイレクションとは、ハンドオーバーの一種であり、端末が在圏中のセルから外れ、別のセルに移動した場合、移動先のセルで再接続を行う動作であるが、ハンドオーバーと異なり、パケット通信が維持されずにアイドル状態となる。
リエスタブリッシュメントとは、ハンドオーバーが失敗した場合に、端末がセル選択を行い、選択されたセルに対して再接続を行うことである。
【００４９】
＜第２の実施形態＞
以下、第２の実施形態について詳細に説明する。全体の構成については、図１、図２、図３を援用し、同じ機能部に対して同一の符号を付して説明を省略する。第２の実施形態におけるカメラ付通信装置１は、通信速度に応じて、撮影部６０の撮影解像度を変更するのではなく、撮影した画像の解像度を変更する。
【００５０】
撮影部６０は、撮影した画像を、解像度設定部７８が設定した解像度になるまで、画像の圧縮率を変更し、変更した画像を、通信制御部５１を介して基地局２に送信する。
解像度設定部７８は、撮影部６０の撮影解像度を設定するのではなく、撮影部６０が基地局２に送信する画像の解像度を設定する。
【００５１】
このようにして、第２の実施形態におけるカメラ付通信装置１は、撮影部６０が基地局２に送信する画像の解像度を変更することで、第１の実施形態と同様の効果を得ることができる。
【００５２】
＜第３の実施形態＞
以下、第３の実施形態について詳細に説明する。全体の構成については、図１、図２、図３を援用し、同じ機能部に対して同一の符号を付して説明を省略する。第３の実施形態におけるカメラ付通信装置１は、カメラ付通信装置１の起動時に、入力部４０を介してユーザが撮影部６０の撮影解像度を選択するのではなく、解像度設定部７８が撮影部６０の撮影解像度を、解像度選択部７４が選択した好適な撮影解像度に自動で設定する。
【００５３】
このようにして、第３の実施形態におけるカメラ付通信装置１は、カメラ付通信装置１の起動時に、入力部４０を介してユーザが撮影部６０の撮影解像度を選択することなく、解像度設定部７８が撮影部６０の撮影解像度を自動で設定することで、第１の実施形態と同様の効果を得ることができる。
【００５４】
以上、この発明の実施形態を、図面を参照して詳述してきたが、具体的な構成はこの実施形態に限られるものではなく、この発明の要旨を逸脱しない限り、変更、置換、削除等されてもよい。
【００５５】
＜ハードウェア構成など＞
なお、上述した各実施形態のカメラ付通信装置１の各機能部の処理を実行するためのプログラムをコンピュータ読み取り可能な記録媒体に記録して、当該記録媒体に記録されたプログラムをコンピュータシステムに読み込ませ、実行することにより、カメラ付通信装置１に係る上述した種々の処理を行ってもよい。ここでいう「コンピュータシステム」とは、ＯＳ（Operation  System）や周辺機器等のハードウェアを含むものとする。
【００５６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５７】
（１）本発明の一態様は、動画像を撮影するカメラと、前記動画像を送信する送信部と、前記送信部が通信を行う基地局との通信速度を判定する判定部と、前記判定部が判定した通信速度に基づいて、前記送信部による送信時の前記動画像の解像度を選択する選択部と、を備えることを特徴とする通信装置である。
（２）また、本発明の他の態様は、前記選択部によって選択された解像度を取得し、前記取得した解像度に基づいて、前記動画像の解像度を設定するための設定画面を生成する生成部、を備えることを特徴とする（１）に記載の通信装置である。
【００５８】
（３）また、本発明の他の態様は、前記判定部は、前記通信を行う基地局が変更された場合、前記変更された基地局との通信速度を判定し、前記選択部は、前記変更された基地局との通信速度に基づいて、前記動画像の解像度を選択し直す、ことを特徴とする（１）又は（２）に記載の通信装置である。
（４）また、本発明の他の態様は、動画像を撮影する第１の過程と、前記動画像を送信する第２の過程と、前記第１の過程で前記動画像を送信するときの基地局との通信速度を判定する第３の過程と、前記第３の過程で判定された通信速度に基づいて、前記動画像の解像度を選択する第４の過程と、を有することを特徴とする通信方法である。
【００５９】
（５）また、本発明の他の態様は、コンピュータに、動画像を撮影させ、前記動画像を送信させ、前記送信させるときの通信を行う基地局との通信速度を判定させ、前記判定した通信速度に基づいて、前記動画像の解像度を選択させる、通信プログラムである。
【符号の説明】
【００６０】
１  カメラ付通信装置
２  基地局
１０  ＣＰＵ
２０  記憶部
３０  表示部
４０  入力部
５０  通信部
５１  通信制御部
５２、５２−１、５２−２、５２−Ｎ  ＬＴＥ送信部
５４  ３Ｇ送信部
５６、５６−１、５６−２、５６−Ｎ  ＬＴＥ受信部
５８  ３Ｇ受信部
６０  撮影部
７０  制御部
７２  通信速度判定部
７４  解像度選択部
７６  画像生成部
７８  解像度設定部
【図１】
2015041860.tif 000003
【図２】
2015041860.tif 000004
【図３】
2015041860.tif 000005
【図４】
2015041860.tif 000006
【図５】
2015041860.tif 000007
【図６】
2015041860.tif 000008
【図７】
2015041860.tif 000009
【図８】
2015041860.tif 000010
【図９】
2015041860.tif 000011